(57)【要約】【課題】  本発明は魚釣用電動リールに係り、実際の巻取り操作に支障を来すことなく、モータスイッチのモータ駆動出力値の変更，設定を可能にした魚釣用電動リールに関する。【解決手段】  リール本体に回転自在に支持されたスプールを巻取り駆動するスプール駆動モータと、当該スプール駆動モータを押圧操作及び操作解除により駆動及び停止制御するモータスイッチをリール本体に装着した魚釣用電動リールに於て、前記モータスイッチの押圧操作した状態で前記スプール駆動モータの出力を増減調節する調節操作部材をリール本体に設け、モータスイッチの押圧操作解除時に於ける前記調節操作部材のモータ出力設定値を、モータスイッチの新たなモータ駆動出力値として記憶手段に記憶保持するようにしたことを特徴とする。【選択図】    図１
2008043303.tif 000002
【特許請求の範囲】
【請求項１】
リール本体に回転自在に支持されたスプールを巻取り駆動するスプール駆動モータと、
当該スプール駆動モータを押圧操作及び操作解除により駆動及び停止制御するモータスイッチをリール本体に装着した魚釣用電動リールに於て、
前記モータスイッチの押圧操作した状態で前記スプール駆動モータの出力を増減調節する調節操作部材をリール本体に設け、
モータスイッチの押圧操作解除時に於ける前記調節操作部材のモータ出力設定値を、モータスイッチの新たなモータ駆動出力値として記憶手段に記憶保持するようにしたことを特徴とする魚釣用電動リール。
【請求項２】
前記調節操作部材は、スプール駆動モータの出力値を増減調節する機能を有する変速部材であることを特徴とする請求項１に記載の魚釣用電動リール。
【請求項３】
前記調節操作部材は、スプール駆動モータの制御に直接関係のない他の機能スイッチであることを特徴とする請求項１に記載の魚釣用電動リール。
【発明の詳細な説明】
【技術分野】
【０００１】
本発明は、リール本体に回転自在に取り付くスプールを巻取り駆動するスプール駆動モータを備えた魚釣用電動リールに関する。
【背景技術】
【０００２】
船釣り等、一般に深場の魚層を対象とした魚釣りを行う場合、魚釣用電動リール（以下、「電動リール」という）が広く使用されている。
従来周知のようにこの電動リールは、スプール駆動モータの駆動でスプールを回転させて釣糸の巻取りを行うもので、昨今の電動リールには、スプール駆動モータのモータ出力を調節する変速レバー（レバー形状のモータ出力調節体）がリール本体に回転操作可能に装着され、この変速レバーの操作で、釣場の状況（例えば、対象魚の大きさや種類，魚とのファイトやヒット数）に応じたモータ出力（釣糸の巻取り速度）の調節が容易に行えるようになっている。
【０００３】
そして、特許文献１に開示される電動リールには、この変速レバーによる変速機構に加え、スプール駆動モータの駆動をＯＮ／ＯＦＦするモータスイッチ（押圧操作時だけモータＯＮ、離すとモータＯＦＦとなる寸動スイッチ）がリール本体に設けられており、当該モータスイッチのＯＮ操作でスプールを寸動させて、モータ駆動によるシャクリ操作等が行えるようになっている。
【特許文献１】特開２０００−１２５７２５号公報
【発明の開示】
【発明が解決しようとする課題】
【０００４】
しかし乍ら、前記モータスイッチは、押圧操作時に予め設定されている高出力でスプール駆動モータが駆動し、モータスイッチから指を離したＯＦＦ操作時にはスプール駆動モータが停止する、所謂モータ出力停止／高出力の二者択一の出力駆動制御であるため、糸フケの解消や魚の誘い、或いはシャクリ後の巻取り操作等、刻々変化する釣場や魚の状況に適合した微妙な巻取り駆動操作をモータスイッチの操作で行えない等の課題を残している。
【０００５】
また、特許文献１には、他の実施形態として変速レバーを希望速度位置に設定し、モータスイッチをＯＦＦにした後に再度モータスイッチを押すと、設定した出力（希望速度）でのモータスイッチの寸動巻上げを可能とした変速レバーとモータスイッチの併用構造が開示されている。
しかし、斯様に寸動出力設定時にモータスイッチをＯＦＦにしてしまうと、スプール駆動モータの停止によって寸動巻上げ操作が中断してしまうため、実際の巻取り操作に支障を来してしまう等の課題が残されていた。
【０００６】
本発明は斯かる実情に鑑み案出されたもので、実際の巻取り操作に支障を来すことなく、モータスイッチのモータ駆動出力値（寸動出力値）の変更，設定を可能にした電動リールを提供することを目的とする。
【課題を解決するための手段】
【０００７】
斯かる目的を達成するため、請求項１に係る発明は、リール本体に回転自在に支持されたスプールを巻取り駆動するスプール駆動モータと、当該スプール駆動モータを押圧操作及び操作解除により駆動及び停止制御するモータスイッチをリール本体に装着した電動リールに於て、前記モータスイッチの押圧操作した状態で前記スプール駆動モータの出力を増減調節する調節操作部材をリール本体に設け、モータスイッチの押圧操作解除時に於ける前記調節操作部材のモータ出力設定値を、モータスイッチの新たなモータ駆動出力値として記憶手段に記憶保持するようにしたことを特徴とする。
【０００８】
そして、請求項２に係る発明は、請求項１に記載の電動リールに於て、前記調節操作部材は、スプール駆動モータの出力値を増減調節する機能を有する変速部材であることを特徴とし、請求項３に係る発明は、請求項１に記載の電動リールに於て、前記調節操作部材は、スプール駆動モータの制御に直接関係のない他の機能スイッチであることを特徴とする。
【発明の効果】
【０００９】
請求項１に係る発明によれば、モータスイッチの寸動出力値を変更可能としたので、刻々変化する釣場や魚の状況に要求されるモータスイッチによる微妙な寸動巻上げ操作ができると共に、寸動巻上げをし乍ら、調節操作部材による操作で寸動出力値を容易に変更することができ、また、スプール駆動モータを停止させることがないため、実釣に支障を来すこともない。
【００１０】
而も、寸動巻上げをし乍ら、調節操作部材の操作で巻上げ速度の変化を実際に把握して欲する巻上げ速度、即ち、欲するモータ出力を認識してこれを新たな寸動出力値として変更することができるので、確実な寸動出力値を選択，設定できる利点を有する。
そして、請求項２に係る発明によれば、リール本体を保持し乍ら、寸動出力値の変更が可能であり、請求項３に係る発明によれば、既存の機能スイッチを調節操作部材として機能させるので、リール本体上部のスペースやスイッチ数を増やすことなく寸動出力値を変更することができる。
【発明を実施するための最良の形態】
【００１１】
以下、本発明の実施形態を図面に基づいて詳細に説明する。
図１は請求項１及び請求項２の一実施形態に係る電動リールを示し、図中、１はリール本体３のフレーム、５，７はフレーム１の左右のフレーム枠体９，１１に取り付く側板で、フレーム１と両側板５，７とによって電動リール１２のリール本体３が形成されている。
【００１２】
そして、両側板５，７間にスプール軸が支持部に回転自在に支持され、当該スプール軸にスプール１３が回転可能に支持されている。
スプール１３は、スプール駆動モータ１５の駆動やハンドル１７の巻取り操作で回転して釣糸が巻回され、スプール駆動モータ１５は、スプール１３前方のフレーム枠体９，１１間に一体形成された筒状のモータケース内に収容されている。
【００１３】
そして、スプール駆動モータ１５のモータ軸とスプール軸との間に、遊星歯車とこれに噛合する太陽歯車や内歯歯車等からなる遊星減速機構１９と、駆動ベルト２１を用いた動力伝達機構２３が順次装着されており、これらの遊星減速機構１９と動力伝達機構２３を介してスプール駆動モータ１５の駆動力がスプール軸に伝達されるようになっている。
スプール軸はスプール１３の中央を貫通してその他端側が側板７内に突出し、その突出端に、スプール軸の回転をスプール１３に伝達させる動力伝達機構２５や、スプール１３を釣糸巻取り状態とスプールフリー状態とに切り換えるクラッチ機構２７が装着されている。
【００１４】
そして、スプール１３後方のフレーム枠体９，１１間にクラッチレバー２９が下方向へ押圧操作可能に取り付けられており、当該クラッチレバー２９の押圧操作で、これに連結されたクラッチ機構２７がクラッチＯＮ状態からクラッチＯＦＦ状態に切り換わるようになっている。
また、このクラッチＯＦＦ状態でハンドル１７を巻取り方向へ回転させると、図示しない周知の復帰機構を介してクラッチ機構２７がクラッチＯＮ状態に復帰するようになっており、このようにクラッチ機構２７のクラッチＯＮ／ＯＦＦの切換えでスプール１３が釣糸巻取り状態とスプールフリー状態とに切り換わって、スプール１３へのスプール駆動モータ１５やハンドル１７の動力が伝達／遮断されるようになっている。
【００１５】
而して、スプール駆動モータ１５は、ハンドル１７側の側板７の上部前方に装着した変速レバー（レバー形状のモータ出力調節体）３１や、後述する押しボタン式のモータスイッチ（押圧操作時だけモータＯＮ、離すとモータＯＦＦとなる寸動スイッチ）３３の押圧操作で駆動するように構成されており、変速レバー３１はハンドル１７と同方向へ回転操作可能に取り付けられている。
【００１６】
そして、リール本体３の上部には、マイクロコンピュータとその他の電装部品からなる制御回路等が収容された制御ボックス３５が側板５，７間に設けられており、前記変速レバー３１の操作量に応じ、マイクロコンピュータがパルス信号のデューティ比としてスプール駆動モータ１５への電流通電時間率を可変制御して、スプール駆動モータ１５のモータ出力をモータ停止状態から高出力値まで連続的に増減調節するようになっている。
【００１７】
また、図中、３７はスプール１３の回転方向と回転数を検出する回転検出手段で、当該回転検出手段３７は、フレーム枠体９に装着された一対のホール素子やリードスイッチ等からなる磁気センサ３９と、これに対向してスプール１３の一端側周縁部に固着されたマグネット４１とで構成されており、磁気センサ３９はマイクロコンピュータのＣＰＵに接続されている。
【００１８】
一方、マイクロコンピュータのＲＯＭには、特開平５−１０３５６７号公報で開示された電動リールと同様、糸長計測データが入力された糸長計測プログラムが組み込まれており、ＣＰＵは、磁気センサ３９から出力されるスプール１３の正転／逆転の判定信号を取り込んで釣糸の繰出しか巻取りかを判定すると共に、磁気センサ３９から取り込むスプール１３の回転パルス信号を基に、糸長計測プログラムによって糸長（釣糸の繰出し量）を計測するようになっている。
【００１９】
そして、ＣＰＵは、計測された糸長を制御ボックス３５の操作パネル４３上に設けた液晶表示器（以下、「表示器」という）４５に表示させるようになっており、釣人は斯かる表示を確認し乍ら、所定の水深に仕掛けを繰り出したり、ハンドル１７や変速レバー３１，モータスイッチ３３等を操作して釣糸を巻き取ることができるようになっている。
また、操作パネル４３上には、表示器４５に隣接してハンドル１７側に押しボタン式のリセットスイッチ４７と棚メモスイッチ４９が上下に配設されると共に、両スイッチ４７，４９にオフセットさせてモータスイッチ３３が表示器４５の斜め後方のハンドル１７側に設けられており、これらはマイクロコンピュータに接続されている。
【００２０】
而して、周知のように棚メモスイッチ４９は棚位置の設定に使用するもので、従来と同様、リセットスイッチ４７との操作で棚位置が設定されて、棚位置が表示器４５に表示されるようになっている。
そして、変速レバー３１の操作量に応じた速度でスプール駆動モータ１５が駆動し、また、モータスイッチ３３を押圧操作すると、所定の寸動出力（モータ出力）でスプール駆動モータ１５が駆動（寸動）し、操作を解除するとスプール駆動モータ１５が停止するが、本実施形態は、このモータスイッチ３３の押圧操作によるスプール駆動モータ１５の寸動出力を、変速レバー（調節操作部材）３１の操作で変更，設定可能としたことを特徴とする。
【００２１】
即ち、マイクロコンピュータのＲＯＭには、予め工場出荷段階でモータスイッチ３３の所定の寸動出力が設定されているが、釣人がモータスイッチ３３を押圧操作して寸動巻上げをしている時に変速レバー３１をリール本体３の前方へ回転操作（出力増加方向への操作）すると、マイクロコンピュータはスプール駆動モータ１５への電流通電時間率を可変制御してスプール駆動モータ１５のモータ出力を増加させ、また、変速レバー３１をリール本体３の後方へ回転操作（出力低下方向への操作）すると、マイクロコンピュータはスプール駆動モータ１５のモータ出力を低下させるようになっている。このため、釣人は、寸動巻上げをし乍ら、巻上げ速度の変化を把握することができる。
【００２２】
そして、斯様に変速レバー３１を回転操作して巻上げ速度を増減調節し乍ら寸動巻上げを行った後、モータスイッチ３３から指を離して寸動巻上げを止めると、マイクロコンピュータは、このモータスイッチ３３の押圧操作解除時に於けるモータ出力設定値を、モータスイッチ３３の新たな寸動出力値（モータ駆動出力値）としてＲＡＭに記憶保持させるようになっている。そして、この寸動出力値は、上述した同様の手順を繰り返すことで順次更新できるようになっている。
【００２３】
その他、図中、５１は反ハンドル側の側板５に設けた突出部で、当該突出部５１はスプール１３前方の下部から下方へ突出し、その先端に給電コードを接続する給電接続部が装着されている。そして、当該給電接続部にコネクタを介して給電コードが接続され、この給電コードをバッテリ等の電源に接続することでスプール駆動モータ１５等に給電されるようになっている。
【００２４】
本実施形態はこのように構成されているから、実釣に当たり、給電接続部にコネクタを介して給電コードを接続し、給電コードをバッテリ等の電源に接続することでスプール駆動モータ１５等に給電される。
そして、クラッチレバー２９のクラッチＯＦＦ操作で釣糸がスプール１３から繰り出され、変速レバー３１によるスプール駆動モータ１５の巻取り駆動やハンドル１７の巻取り操作でスプール１３に釣糸が巻回され、更にモータスイッチ３３の押圧操作でスプール駆動モータ１５が駆動し、また、釣糸の繰出しや巻取りに伴い、回転検出手段３７の検出値を基に糸長が計測されて表示器４５に糸長が表示されるが、モータスイッチ３３による寸動巻上げ中に、釣場の状況等に応じ釣人がリール本体３を保持し乍ら、既述した変速レバー３１とモータスイッチ３３の操作で寸動出力値を設定変更すれば、以後、スプール駆動モータ１５は、設定された新たなモータスイッチ３３の寸動出力で駆動することとなる。
【００２５】
このように本実施形態は、モータスイッチ３３の寸動出力値を変更可能としたので、刻々変化する釣場や魚の状況に要求されるモータスイッチ３３による微妙な寸動巻上げ操作ができると共に、リール本体３を保持して寸動巻上げをし乍ら、変速レバー３１とモータスイッチ３３による簡単な操作で寸動出力値を容易に変更することができ、また、スプール駆動モータ１５を停止させることがないため、実釣に支障を来すこともない。
【００２６】
而も、本実施形態は、リール本体３を保持して寸動巻上げをし乍ら、変速レバー３１の操作で巻上げ速度の変化を実際に把握して欲する巻上げ速度、即ち、欲するモータ出力を認識してこれを新たな寸動出力値として変更することができるので、確実な寸動出力値を選択，設定できる利点を有する。
図２は請求項１及び請求項３に係る発明の一実施形態を示し、本実施形態は、前記変速レバー３１に代え、前記リセットスイッチ４７と棚メモスイッチ４９を調節操作部材として機能させ、モータスイッチ３３の押圧操作によるスプール駆動モータ１５の寸動出力を、前記リセットスイッチ４７と棚メモスイッチ４９の操作で変更，設定可能としたものである。
【００２７】
即ち、本実施形態に係る電動リール１２-1も、マイクロコンピュータのＲＯＭには、予め工場出荷段階でモータスイッチ３３の所定の寸動出力が設定されているが、釣人がモータスイッチ３３を押圧操作して寸動巻上げをしている時に棚メモスイッチ４９を押すと、棚メモスイッチ４９が出力増速スイッチに自動的に機能変更してモータ出力が増加し、また、モータスイッチ３３を押圧操作して寸動巻上げをしている時にリセットスイッチ４７を押すと、リセットスイッチ４７が出力減速スイッチに自動的に機能変更してモータ出力が低下するようになっている。
【００２８】
このため、釣人は、寸動巻上げをし乍ら、巻上げ速度の変化を把握することができる。
そして、斯様に棚メモスイッチ４９やリセットスイッチ４７を操作して巻上げ速度を増減調節し乍ら寸動巻上げを行った後、モータスイッチ３３から指を離して寸動巻上げを止めると、マイクロコンピュータは、このモータスイッチ３３の押圧操作解除時に於けるモータ出力設定値を、モータスイッチ３３の新たな寸動出力値としてＲＡＭに記憶保持させるようになっている。そして、この寸動出力値は、上述した同様の手順を繰り返すことで順次更新できるようになっている。
【００２９】
尚、その他の構成は図１の実施形態と同様であるので、同一のものには同一符号を付してそれらの説明は省略する。
本実施形態はこのように構成されており、本実施形態によっても、図１の実施形態と同様、所期の目的を達成することが可能で、刻々変化する釣場や魚の状況に要求されるモータスイッチ３３による微妙な寸動巻上げ操作ができると共に、リセットスイッチ４７と棚メモスイッチ４９，モータスイッチ３３による簡単な操作で寸動出力値を容易に変更することができ、また、スプール駆動モータ１５を停止させることがないため、実釣に支障を来すこともない。
【００３０】
而も、寸動巻上げをし乍ら、リセットスイッチ４７と棚メモスイッチ４９の操作で巻上げ速度の変化を実際に把握して新たな寸動出力値を変更することができるので、確実な寸動出力値を選択，設定できる利点を有する。
また、既存のリセットスイッチ４７と棚メモスイッチ４９を調節操作部材として機能させるので、操作パネル４３のスペースやスイッチ数を増やすことなく寸動出力値を変更することができる。
【図面の簡単な説明】
【００３１】
【図１】請求項１及び請求項２の一実施形態に係る電動リールの平面図である。
【図２】請求項１及び請求項３の一実施形態に係る電動リールの要部平面図である。
【符号の説明】
【００３２】
１  フレーム
３  リール本体
５，７  側板
１２，１２-1  電動リール
１３  スプール
１５  スプール駆動モータ
１７  ハンドル
２９  クラッチレバー
３１  変速レバー
３３  モータスイッチ
３５  制御ボックス
３７  回転検出手段
４３  操作パネル
４５  表示器
４７  リセットスイッチ
４９  棚メモスイッチ
【図１】
2008043303.tif 000003
【図２】
2008043303.tif 000004